(57)【要約】【課題】操作性を維持しつつ、操作部材の設置数を削減できるデジタルカメラを提供する。【解決手段】レンズバリア１６が、閉位置と開位置との間を左右方向にスライドして開閉自在に設けられるとともに、開位置及び開位置において、所定ストロークｓで左右方向にスライド自在に設けられる。レンズバリア１６は、開位置では、ズームの操作手段として用いられ、閉位置では、再生画像のコマ送りの操作手段として用いられる。【選択図】      図５
2010136268.tif 000002
【特許請求の範囲】
【請求項１】
カメラボディの前面にレンズ部を開閉するレンズバリアがスライド自在に設けられたデジタルカメラにおいて、
前記レンズ部を閉じる閉位置と前記レンズ部を開く開位置との間をスライド自在に設けられるとともに、前記閉位置、及び／又は、前記開位置において、所定ストロークで所定方向にスライド自在に設けられた前記レンズバリアと、
前記レンズバリアの移動を検出する移動検出手段と、
前記移動検出手段の検出結果に基づいて、デジタルカメラの所定の動作を制御する制御手段と、
を備えたことを特徴とするデジタルカメラ。
【請求項２】
前記レンズバリアは、前記閉位置、及び／又は、前記開位置において、前記レンズ部の開閉方向と同じ方向に所定ストロークでスライド自在に設けられることを特徴とする請求項１に記載のデジタルカメラ。
【請求項３】
前記移動検出手段は、
前記レンズバリアに設けられたマグネットと、
前記カメラボディに設けられ、前記レンズバリアが前記閉位置に位置したときに前記マグネットと対向する位置に配置された第１ホールセンサと、
前記カメラボディに設けられ、前記レンズバリアが前記開位置に位置したときに前記マグネットと対向する位置に配置された第２ホールセンサと、
からなることを特徴とする請求項２に記載のデジタルカメラ。
【請求項４】
前記制御手段で制御する動作の動作速度を設定する設定手段を備え、前記制御手段は、前記設定手段で設定された動作速度で前記デジタルカメラの所定の動作を制御することを特徴とする請求項１〜３のいずれか一項に記載のデジタルカメラ。
【発明の詳細な説明】
【技術分野】
【０００１】
本発明は、デジタルカメラに係り、特にカメラボディの前面にレンズ部を開閉するレンズバリアがスライド自在に設けられたデジタルカメラに関する。
【背景技術】
【０００２】
一般にデジタルカメラには、カメラボディの背面にモニタが搭載されている。このモニタは、画像確認等に使用されるが、近年、その画面サイズが大型化している。
【０００３】
しかし、モニタの画面サイズを大きくすると、操作ボタンの設置スペースが少なくなり、操作性が低下するという問題がある。
【０００４】
そこで、特許文献１では、モニタにタッチパネルを搭載し、タッチパネルで各種操作を行うようにしたデジタルカメラが提案されている。
【０００５】
また、特許文献２、３には、カメラボディにレンズ部を保護する開閉自在なレンズバリアを設け、そのレンズバリアの位置に応じて、カメラの機能を自動的に切り換えることが提案されている。
【特許文献１】特開平１１−２８９４８４号公報
【特許文献２】特開２００１−２１７１９３号公報
【特許文献３】特開２００５−２１８６１８号公報
【発明の開示】
【発明が解決しようとする課題】
【０００６】
しかしながら、特許文献１のように、モニタにタッチパネルを搭載すると、モニタの画面が汚れやすくなり、これにより、モニタの視認性が低下するという欠点がある。
【０００７】
また、特許文献２、３の構成では、カメラの機能を切り換えることしかできないという欠点がある。
【０００８】
本発明は、このような事情に鑑みてなされたもので、操作性を維持しつつ、操作部材の設置数を削減できるデジタルカメラを提供することを目的とする。
【課題を解決するための手段】
【０００９】
請求項１に係る発明は、前記目的を達成するために、カメラボディの前面にレンズ部を開閉するレンズバリアがスライド自在に設けられたデジタルカメラにおいて、前記レンズ部を閉じる閉位置と前記レンズ部を開く開位置との間をスライド自在に設けられるとともに、前記閉位置、及び／又は、前記開位置において、所定ストロークで所定方向にスライド自在に設けられた前記レンズバリアと、前記レンズバリアの移動を検出する移動検出手段と、前記移動検出手段の検出結果に基づいて、デジタルカメラの所定の動作を制御する制御手段と、を備えたことを特徴とするデジタルカメラを提供する。
【００１０】
請求項１に係る発明によれば、レンズバリアが開閉自在に設けられるとともに、開位置、及び／又は、開位置において、所定ストロークで所定方向にスライド自在に設けられる。これにより、レンズバリアを操作手段として機能させることができ、デジタルカメラに設置すべき操作手段の数を削減することができる。たとえば、レンズバリアをモード切替手段として機能させるとともに、開位置において、ズーム操作手段、閉位置において、コマ送り手段として機能させることができる。
【００１１】
請求項２に係る発明は、前記目的を達成するために、前記レンズバリアは、前記閉位置、及び／又は、前記開位置において、前記レンズ部の開閉方向と同じ方向に所定ストロークでスライド自在に設けられることを特徴とする請求項１に記載のデジタルカメラを提供する。
【００１２】
請求項２に係る発明によれば、閉位置、及び／又は、開位置における操作方向とレンズバリアによるレンズ部の開閉方向とが同じ方向に設定される。これにより、閉位置、及び／又は、開位置におけるレンズバリアの操作性を向上させることができる。
【００１３】
請求項３に係る発明は、前記目的を達成するために、前記移動検出手段は、前記レンズバリアに設けられたマグネットと、前記カメラボディに設けられ、前記レンズバリアが前記閉位置に位置したときに前記マグネットと対向する位置に配置された第１ホールセンサと、前記カメラボディに設けられ、前記レンズバリアが前記開位置に位置したときに前記マグネットと対向する位置に配置された第２ホールセンサと、からなることを特徴とする請求項２に記載のデジタルカメラを提供する。
【００１４】
本発明によれば、レンズバリアに設けられたマグネットと、カメラボディの閉位置に設けられた第１ホールセンサと、開位置に設けられた第２ホールセンサとによって、レンズバリアの移動が検出される。
【００１５】
請求項４に係る発明は、前記目的を達成するために、前記制御手段で制御する動作の動作速度を設定する設定手段を備え、前記制御手段は、前記設定手段で設定された動作速度で前記デジタルカメラの所定の動作を制御することを特徴とする請求項１〜３のいずれか一項に記載のデジタルカメラを提供する。
【００１６】
本発明によれば、レンズバリアの操作によって制御されるデジタルカメラの動作の動作速度を任意に設定することができる。これにより、操作性を向上させることができる。たとえば、レンズバリアをズーム操作手段として機能させた場合において、レンズバリアを操作したときのズームの速度を任意に設定できるようにする。これにより、ズームの操作性を向上させることができる。
【発明の効果】
【００１７】
本発明によれば、操作性を維持しつつ、操作部材の設置数を削減できる。
【発明を実施するための最良の形態】
【００１８】
以下、添付図面を参照して、本発明に係るデジタルカメラの好ましい実施の形態について詳説する。
【００１９】
＜第１の実施の形態＞
［構成］
図１は、それぞれ本発明に係るデジタルカメラの一実施の形態を示す外観図であり、同図（ａ）は正面図、同図（ｂ）は平面図、同図（ｃ）は背面図である。
【００２０】
同図に示すように、このデジタルカメラ１０は、いわゆるコンパクトカメラとして構成されており、そのカメラボディ１２は、前後方向の厚みの薄い、矩形の箱状に形成されている。
【００２１】
カメラボディ１２の前面には、図１（ａ）に示すように、レンズ部１４、そのレンズ部１４を保護するレンズバリア１６が設けられており、上面には、同図（ｂ）に示すように、シャッタボタン１８、ＭＥＮＵ／ＯＫボタン２０、キャンセルボタン２２、再生ボタン２４が設けられている。また、カメラボディ１２の後面には、同図（ｃ）に示すように、モニタ２６が設けられている。
【００２２】
なお、図示されていないが、カメラボディ１２の底面には、三脚ネジ穴、ＵＳＢ端子、電源端子、開閉自在なバッテリカバー等が設けられており、バッテリカバーの内側には、バッテリを収納するためのバッテリ収納室及びメモリカードを装着するためのメモリカードスロットが設けられている。
【００２３】
レンズ部１４は、撮影レンズの前玉が配置される円形の窓として形成されており、カメラボディ１２の前面の右上隅に配置されている。
【００２４】
撮影レンズは、いわゆる屈曲光学系を採用したＡＦズームレンズで構成されており、ズーミング又はフォーカシングを行っても、レンズ鏡筒がカメラボディ１２から繰り出されないように構成されている。
【００２５】
また、この撮影レンズは、手振れ補正機能を備えており、その光学系の一部を移動させることにより、手振れに基づく像振れを補正できるように構成されている。
【００２６】
なお、手振れ補正機能は、これに限らず、撮像素子を移動させて、手振れに基づく像振れを補正する構成とすることもできる。あるいは、撮影された画像の一部を切り出して、手振れに基づく像ブレを補正する構成とすることもできる（いわゆる電子式手振れ補正）。
【００２７】
レンズバリア１６は、矩形のプレート状に形成されており、カメラボディ１２の前面を左右方向にスライドして、レンズ部１４を開閉する。より具体的には、図２に示すように、レンズ部１４を閉じる「閉位置」（同図（ａ））と、レンズ部１４を開く「開位置」（同図（ｂ）との間をスライド自在に設けられており、この閉位置と開位置との間をスライドして、レンズ部１４を開閉する。
【００２８】
また、このレンズバリア１６は、閉位置、開位置に位置すると、閉位置、開位置を中立点として、左右方向に所定のストロークでスライドできるように支持されている。すなわち、図３に示すように、開位置に位置すると、その開位置を中立点として、左右に所定のストロークｓで移動できるように支持されている。同様に、閉位置に位置すると、その閉位置を中立点として、左右に所定のストロークｓで移動できるように支持されている。
【００２９】
このように、閉位置及び開位置において、左右に所定ストロークｓでスライド可能に支持されたレンズバリア１６は、閉位置及び開位置に位置して、所定の操作手段として機能する。本例では、カメラが撮影モードに設定されている時はズームスイッチとして機能し、再生モードに設定されている時はコマ送りスイッチとして機能する。
【００３０】
すなわち、カメラのモードが撮影モードに設定されている場合において、レンズバリア１６が一方向（たとえば、右方向）に操作されると、テレ方向へのズームがカメラに指示され、他方向（たとえば、左方向）に操作されると、ワイド方向へのズームがカメラに指示される。
【００３１】
また、再生モードに設定されている場合において、レンズバリア１６が一方向（たとえば、右方向）に操作されると、再生画像の一コマ送りがカメラに指示され、他方向（たとえば、左方向）に操作されると、再生画像の一コマ戻しがカメラに指示される。
【００３２】
また、各種設定時には、左右の方向指示キーとして機能する（たとえば、各種設定時にモニタ画面に表示されるカーソルの左右方向への移動指示等に用いられる。）。
【００３３】
また、レンズバリア１６は、カメラの電源スイッチとしても機能し、レンズバリア１６を閉位置から開位置にスライド移動させると、電源がＯＮ、開位置から閉位置にスライド移動させると、電源がＯＦＦされる。
【００３４】
また、電源ＯＦＦの状態でレンズバリア１６を閉位置から開位置にスライド移動させると、デジタルカメラ１０は、撮影モードに設定される。また、再生モードの状態でレンズバリア１６を閉位置から開位置にスライド移動させると、デジタルカメラ１０は、撮影モードに設定される。
【００３５】
なお、レンズバリア１６は、カメラボディ１２に設けられた図示しないスライド支持機構に支持されて、上記のように、閉位置と開位置との間をスライド可能に支持されるとともに、開位置及び閉位置において、所定のストロークで左右方向にスライド可能に支持される。
【００３６】
このスライド支持機構は、カメラボディ１２に対して左右方向に所定のストロークでスライド自在に支持された第１のスライド支持部材と、その第１のスライド支持部材に対して、所定の中立点を中心として、左右方向に所定のストロークｓでスライド自在に支持された第２のスライド支持部材とで構成され、レンズバリア１６は、第２のスライド支持部材に取り付けられて、カメラボディ１２に対してスライド可能に支持されている。すなわち、レンズバリア１６は、第１のスライド部材によって、閉位置と開位置との間をスライド可能に支持され、第２のスライド部材によって、閉位置及び開位置において、所定のストロークｓで左右方向にスライド可能に支持される。
【００３７】
なお、第１のスライド部材は、開位置及び閉位置に位置すると、係止手段によって係止され、一定以上の力を与えないと、動かないように保持される。
【００３８】
また、第２のスライド部材は、付勢手段によって、中立点に自動復帰するように構成されており、無負荷の状態では、常に中立点に位置する。
【００３９】
なお、スライド支持機構の構成は、これに限定されるものではなく、他の構成でレンズバリア１６をカメラボディ１２に対してスライド自在に支持することもできる。
【００４０】
レンズバリア１６の表面左隅には、図１（ａ）に示すように、指掛け部１６ａが形成されている。この指掛け部１６ａは、板状の突起として、レンズバリア１６の表面から突出して形成されており、撮影時にカメラボディ１２を把持した手の中指が掛かるようにされている。ユーザは、この指掛け部１６ａを利用して、レンズバリア１６の開閉や開位置及び閉位置での操作を行う。
【００４１】
レンズバリア１６の移動は、レンズバリア１６に設けられたマグネット３０と、カメラボディ１２に設けられた一対のホールセンサ３２ａ、３２ｂによって検出される。
【００４２】
マグネット３０は、レンズバリア１６の裏面に取り付けられており（本例では裏面の右下隅に設置）、レンズバリア１６と共に移動する。
【００４３】
一方、一対のホールセンサ３２ａ、３２ｂは、カメラボディ１２に取り付けられている。この一対のホールセンサ３２ａ、３２ｂのうち一方のホールセンサ３２ａ（以下、第１ホールセンサ３２ａという）は、図２（ａ）に示すように、レンズバリア１６を閉位置に位置させた際、レンズバリア１６に設けられたマグネット３０と対向する位置に所定のギャップをもって配置されている。また、他方のホールセンサ３２ｂ（以下、第２ホールセンサ３２ｂという）は、図２（ｂ）に示すように、レンズバリア１６を開位置に位置させた際、レンズバリア１６に設けられたマグネット３０と対向する位置に所定のギャップをもって配置されている。
【００４４】
図４は、レンズバリアの位置と第１、第２ホールセンサの出力の関係を示すグラフである。
【００４５】
同図に示すように、レンズバリア１６の位置に応じて第１ホールセンサ３２ａと第２ホールセンサ３２ｂの出力が変化する。したがって、この第１ホールセンサ３２ａと第２ホールセンサ３２ｂの出力をモニタすることにより、レンズバリア１６の移動を検出することができ、その現在位置を検出することができる。後述するように、カメラの制御手段（ＣＰＵ）は、この第１ホールセンサ３２ａと第２ホールセンサ３２ｂの出力に基づいて、カメラの所定の動作を制御する。
【００４６】
シャッタボタン１８は、撮影準備と本撮影の指示を行う操作手段であり、いわゆる「半押し」と「全押し」とからなる二段ストローク式の押下ボタンで構成されている。デジタルカメラ１０は、このシャッタボタン１８を半押しすると撮影準備、すなわち、ＡＥ（Automatic Exposure：自動露出）、ＡＦ（Auto Focus：自動焦点合わせ）の各処理を行い、全押すると、本撮影、すなわち、記録用の画像の撮影、及び、記録処理を行う。
【００４７】
なお、シャッタボタン１８は、カメラボディ１２を把持した際、その把持した手の人指し指が自然にかかる位置（上面やや左端の位置）に配置される。撮影者は、レンズバリア１６に設けられた指掛け部１６ａに手の中指をかけて、カメラボディ１２を右手で把持する。
【００４８】
ＭＥＮＵ／ＯＫボタン２０と、キャンセルボタン２２と、再生ボタン２４は、カメラボディ１２の上面に並列して配置されている。
【００４９】
ＭＥＮＵ／ＯＫボタン２０は、押下式のボタンで構成されており、モニタ２６へのメニュー画面の呼び出しを指示する操作手段として機能するとともに（ＭＥＮＵボタンとしての機能）、メニュー画面等で選択した内容の確定や処理の実行等を指示する操作手段として機能する（ＯＫボタンとしての機能）。
【００５０】
なお、本実施の形態のデジタルカメラ１０は、カメラの動作に関する各種設定をモニタ２６の画面を利用して行われる。すなわち、ＭＥＮＵ／ＯＫボタン２０を押下すると、カメラの各種設定を行うためのメニュー画面が表示され、この画面表示に従って各種操作手段を使用しながら、カメラの各種設定を行う。たとえば、ＡＥ方式の設定（オートＡＥ、プログラムＡＥ、絞り優先ＡＥ、シャッタ速度優先ＡＥ、マニュアルＡＥ等）、測光方式の設定（平均測光、中央重点測光、スポット測光等）、ＡＦモードの設定（シングルＡＦ、コンティニュアスＡＦ等）、画像サイズの設定、ＩＳＯ感度の設定、ホワイトバランスの設定等が行われる。
【００５１】
キャンセルボタン２２は、押下式のボタンで構成されており、メニュー画面等で選択した内容のキャンセルを指示する操作手段として機能する。
【００５２】
再生ボタン２４は、押下式のボタンで構成されており、再生モードへの切り替えを指示する操作手段として機能する。すなわち、撮影モードに設定された状態でこの再生ボタン２４を押下すると、デジタルカメラ１０は、再生モードに移行する。また、電源ＯＦＦの状態でこの再生ボタン２４を押下すると、デジタルカメラ１０は、再生モードの状態で電源がＯＮする。
【００５３】
なお、カメラのモードが再生モードに設定されている状態でレンズバリア１６が閉位置に位置している場合、レンズバリア１６を閉位置から開位置にスライド移動させると、デジタルカメラ１０は、撮影モードに切り換えられる。
【００５４】
また、カメラのモードが再生モードに設定されている状態でレンズバリア１６が開位置に位置している場合、シャッタボタン１８を半押しすると、デジタルカメラ１０は、撮影モードに切り換えられる。
【００５５】
モニタ２６は、カラーＬＣＤで構成されている。このモニタ２６は、撮影済み画像を表示するための画像表示部として利用されるとともに、各種設定時にＧＵＩとして利用される。また、撮影時には、撮像素子で捉えた画像がスルー表示され、電子ファインダとして利用される。
【００５６】
本実施の形態のデジタルカメラ１０では、カメラボディ１２の背面全体が、モニタ２６の表示画面で構成されている。このように、モニタ２６は、可能な限り大画面で構成することが好ましい。したがって、たとえば、撮影画像と同じアスペクト比とする場合には、アスペクト比を維持しつつ、可能な限り大画面となるように、カメラボディ１２の背面に配置することが好ましい。
【００５７】
図５は、本実施の形態のデジタルカメラ１０のシステム構成を示すブロック図である。
【００５８】
同図に示すように、デジタルカメラ１０は、ＣＰＵ１１２、操作部１１４、ＲＯＭ１１６、フラッシュＲＯＭ１１８、ＲＡＭ１２０、撮影レンズ１２２、ＣＣＤ１２４、ＣＣＤ駆動回路１２６、アナログ信号処理回路１２８、Ａ／Ｄ変換回路１３０、画像入力制御回路１３２、デジタル信号処理回路１３４、ＡＦ検出回路１３６、ＡＥ検出回路１３８、圧縮伸張処理回路１４０、メディア制御回路１４２、表示制御回路１４４、モニタ２６、レンズバリア移動検出部１５０等を備えて構成されている。
【００５９】
ＣＰＵ１１２は、デジタルカメラ１０の全体の動作を統括制御する制御手段であり、所定のプログラムを実行して、デジタルカメラ１０の各部を制御する。また、所定のプログラムを実行して、制御に必要な各種演算処理を実行する。
【００６０】
バス１６０を介して接続されたＲＯＭ１１６には、このＣＰＵ１１２が実行するプログラム及び制御に必要な各種データ等が格納されている。また、フラッシュＲＯＭ１１８には、ユーザ設定情報等の各種設定情報が格納されている。
【００６１】
ＲＡＭ１２０は、ＣＰＵ１１２のプログラム実行領域として利用されるとともに、データの一時記憶領域として利用される。
【００６２】
操作部１１４は、カメラボディ１２に配置された各種操作手段を含み、各操作手段の操作に応じた信号をＣＰＵ１１２に出力する。
【００６３】
撮影レンズ１２２は、上記のように、手振れ補正機能を備えたＡＦズームレンズで構成されており、ズームレンズ１２２ｚと、手振れ補正レンズ１２２ｓと、絞り１２２ｉ、フォーカスレンズ１２２ｆとを備えて構成されている。
【００６４】
ズームレンズ１２２ｚは、光軸上を前後移動自在に設けられており、ズームアクチュエータ１５４ｚに駆動されて光軸上を前後移動する。撮影レンズ１２２は、このズームレンズ１２２ｚを前後移動させることにより、焦点距離が変化する。ＣＰＵ１１２は、ズーム制御回路１５６ｚを介してズームアクチュエータ１５４ｚの駆動を制御することにより、ズームレンズ１２２ｚの移動を制御して、撮影レンズ１２２のズームを制御する。
【００６５】
フォーカスレンズ１２２ｆは、光軸上を前後移動自在に設けられており、フォーカスアクチュエータ１５４ｆに駆動されて光軸上を前後移動する。撮影レンズ１２２は、このフォーカスレンズ１２２ｆを前後移動させることにより、焦点位置が変化する。ＣＰＵ１１２は、フォーカス制御回路１５６ｆを介してフォーカスアクチュエータ１５４ｆの駆動を制御することにより、フォーカスレンズ１４ｆの移動を制御して、撮影レンズ１２２の焦点位置を制御する。
【００６６】
絞り１２２ｉは、虹彩絞りで構成されており、絞りアクチュエータ１５４ｉに駆動されて、その開口量が可変する。撮影レンズ１２２は、この絞り１２２ｉの開口量を調整することにより、ＣＣＤ１２４への入射光量（絞り値）を調整する。ＣＰＵ１１２は、絞り制御回路１５６ｉを介して絞りアクチュエータ１５４ｉの駆動を制御することにより、絞り１２２ｉの開口量を制御して、絞り値（Ｆ値）を制御する。
【００６７】
なお、本例では虹彩絞りを用いることとしているが、ターレット式の絞り等の他の構成の絞りを用いることもできる。
【００６８】
手振れ補正レンズ１２２ｓは、光軸と直交する面内を移動自在に設けられており、手振れ補正アクチュエータ１５４ｓに駆動されて光軸と直交する面内を移動する。ＣＰＵ１１２は、手振れ補正制御回路１５６ｓを介して手振れ補正アクチュエータ１５４ｓの駆動を制御することにより、手振れ補正レンズ１２２ｓの移動を制御して、手振れに基づく像振れの発生を防止する。具体的には、カメラボディ１２に生じている手振れを手振れ検出部１５８で検出し、検出された手振れを相殺するように手振れ補正レンズ１２２ｓを移動させて、手振れに基づく像振れの発生を防止する。
【００６９】
手振れ検出部１５８は、ヨー方向の角加速度を検出する第１の角加速度センサと、ピッチ方向の角加速度を検出する第２の角加速度センサを含み、第１、第２の角加速度センサで検出されたヨー方向の角加速度とピッチ方向の角加速度の情報をＣＰＵ１１２に出力する。ＣＰＵ１１２は、得られたヨー方向の角加速度とピッチ方向の角加速度に基づいて、手振れ補正レンズ１２２ｓの移動を制御し、手振れに基づく像振れの発生を防止する。
【００７０】
なお、本例では、撮影レンズ１２２に組み込まれた手振れ補正レンズ１２２ｓを移動させて、手振れ補正を行う構成としているが、手振れ補正の機構は、これに限定されるものではない。たとえば、この他、ＣＣＤ１２４を移動させて、手振れ補正を行う構成としてもよい。
【００７１】
ＣＣＤ１２４は、所定のフィルタ配列の単板式のカラーＣＣＤで構成されている。ＣＣＤ駆動回路１２６は、ＣＰＵ１１２からの指令に応じて、ＣＣＤ１２４を駆動し、各フォトダイオードに蓄積された信号電荷を電圧信号（画像信号）として点順次に出力させる。なお、本実施の形態では、イメージセンサとして、ＣＣＤを用いているが、ＣＭＯＳ等の他のイメージセンサを用いてもよい。
【００７２】
アナログ信号処理回路１２８は、相関二重サンプリング回路（ＣＤＳ）、ゲイン・コントロール・アンプ（ＡＧＣ）を含み、ＣＣＤ１２４から出力されたＲ、Ｇ、Ｂのアナログの画像信号を取り込んで、所要の信号処理を施す。すなわち、相関二重サンプリング回路でアンプ雑音とリセット雑音を除去し、ゲイン・コントロール・アンプでゲインを調整する。
【００７３】
Ａ／Ｄ変換回路１３０は、アナログ信号処理回路１２８から出力されたアナログの画像信号をデジタルの画像信号に変換する。
【００７４】
画像入力制御回路１３２は、ＣＰＵ１１２からの指令に応じて、Ａ／Ｄ変換回路１３０から出力される画像信号を順次取り込み、１コマ分の画像データとして、ＲＡＭ１２０に格納する。
【００７５】
デジタル信号処理回路１３４は、ＣＰＵ１１２からの指令に応じて、ＲＡＭ１２０に格納された画像データ（ＲＡＷデータ）を取り込み、所定の信号処理を施して、可視可能な画像データを生成する。具体的には、単板式のＣＣＤから得られるＲＡＷデータは、各画素が単色の色情報しか持たないため、所要の補完処理（デモザイク処理）を行って、各画素がＲ、Ｇ、Ｂ三色の色情報を持った画像データを生成する。また、これと同時に明るさやコントラスト、ホワイトバランス、増感補正、彩度、シャープネスなどの画像処理（レタッチ処理）を行って、最終的に可視可能な画像データ（再生用の画像データ）を生成する。ここでは、カラー画像データとして、輝度データ（Ｙデータ）と色差データ（Ｃｒデータ、Ｃｂデータ）とからなるＹ／Ｃデータを生成する。デジタル信号処理回路１３４で生成された画像データ（現像データ）は、ＲＡＭ１２０に格納される。
【００７６】
ＡＦ検出回路１３６は、ＲＡＭ１２０に格納された１コマ分のＲＡＷデータを取り込み、ＡＦ制御に必要な焦点評価値を算出する。ＣＰＵ１１２は、このＡＦ検出回路１３６から出力される焦点評価値に基づいてフォーカスレンズ１２２ｆの移動を制御し、焦点合わせを行う。具体的には、フォーカスレンズ１２２ｆを至近から無限遠まで移動させて、焦点評価値が極大となる位置をサーチし、サーチされた位置にフォーカスレンズ１２２ｆを移動させることにより、焦点合わせを行う（いわゆるコントラストＡＦ）。
【００７７】
ＡＥ検出回路１３８は、ＲＡＭ１２０に格納された１コマ分のＲＡＷデータを取り込み、ＡＥ制御に必要な積算値を算出する。具体的には、一画面を複数のエリア（たとえば、８×８＝６４エリア）に分割し、分割されたエリアごとにＲ、Ｇ、Ｂ信号の積算値を算出する。ＣＰＵ１１２は、このＡＥ検出回路１３８で算出されたエリアごとのＲ、Ｇ、Ｂ信号の積算値の情報を取得して、本撮影時の露出を決定する。具体的には、得られた積算値から被写体の明るさ（測光値）を算出し、算出さられた測光値と設定ＩＳＯ感度とに基づいて露出値（ＥＶ値）を算出し、所定のプログラム線図を参照して、本撮影時の露出（絞り値、シャッタースピード）を決定する。
【００７８】
圧縮伸張処理回路１４０は、ＣＰＵ１１２からの指令に応じて、入力された画像データ（Ｙ／Ｃデータ）を所定の圧縮フォーマット（本実施の形態では、ＪＰＥＧ）で圧縮して、圧縮画像データを生成する。また、ＣＰＵ１１２からの指令に応じて、入力された圧縮画像データを伸張し、非圧縮の画像データ（Ｙ／Ｃデータ）を生成する。
【００７９】
メディア制御回路１４２は、ＣＰＵ１１２からの指令に応じて、記憶メディア１５２にデータを読み／書きする。記憶メディア１５２は、メモリカードとして、カメラボディ１２に設けられたメモリカードスロットに着脱自在に装着される。
【００８０】
表示制御回路１４４は、ＣＰＵ１１２からの指令に応じて、モニタ２６の表示を制御する。この表示制御回路１４４は、ＯＳＤ（On Screen Display）回路を含み、ＯＳＤ回路は、ＣＰＵ１１２からの指令に応じて、文字や図形、記号等を画像に重ねてモニタ２６に表示させる。
【００８１】
レンズバリア移動検出部１５０は、上述した第１ホールセンサ３２ａと第２ホールセンサ３２ｂを含み、第１ホールセンサ３２ａと第２ホールセンサ３２ｂから出力された信号を増幅し、デジタル信号に変換して、ＣＰＵ１１２に出力する。上述したように、ＣＰＵ１１２は、この第１ホールセンサ３２ａと第２ホールセンサ３２ｂの出力信号に基づいてレンズバリア１６の移動を検出する。そして、レンズバリア１６の位置に応じて、所定の制御を実施する。
【００８２】
［作用］
次に、本実施の形態のデジタルカメラ１０の動作について説明する。
【００８３】
まず、撮影時の動作について説明する。
【００８４】
撮影は、カメラのモードを撮影モードに設定することにより行われる。
【００８５】
上記のように、電源ＯＦＦの状態において、カメラは、レンズバリア１６を閉位置から開位置にスライドさせると、撮影モードの状態で起動する。
【００８６】
また、再生モードの状態において、レンズバリア１６が閉位置に位置している場合、カメラは、レンズバリア１６を閉位置から開位置にスライドさせると、撮影モードに切り換えられる。
【００８７】
また、再生モードの状態において、レンズバリア１６が開位置に位置している場合、カメラは、シャッタボタン１８を半押しすると、撮影モードに切り換えられる。
【００８８】
なお、撮影モードの状態でレンズバリア１６を開位置から閉位置にスライドさせると、カメラは、電源がＯＦＦされる。
【００８９】
上記のように、ＣＰＵ１１２は、レンズバリア移動検出部１５０から出力される第１ホールセンサ３２ａと第２ホールセンサ３２ｂの出力信号に基づいて、レンズバリア１６の移動（現在位置）を検出する。
【００９０】
カメラのモードが、撮影モードに設定されると、ＣＰＵ１１２は、ＣＣＤ１２４を連続的に駆動して、スルー表示用の画像データの取り込みを開始する。取り込まれた画像信号は、連続的に処理されて、モニタ２６に出力される。撮影者は、このモニタ２６に表示される画像（スルー画像）を見て構図を確認する。そして、シャッタボタン１８を半押して、撮影準備の実行を指示する。
【００９１】
シャッタボタン１８が半押しされると、ＣＰＵ１１２には、Ｓ１ＯＮ信号が入力される。ＣＰＵ１１２は、このＳ１ＯＮ信号の入力に応動して、撮影準備処理、すなわち、ＡＥ、ＡＦの各処理を実行する。
【００９２】
まず、ＣＣＤ１２４から出力された画像信号が、ＡＥ検出回路１３８及びＡＦ検出回路１３６に加えられる。ＡＥ検出回路１３８は、入力された画像信号からＡＥ制御に必要な積算値を算出し、ＣＰＵ１１２に出力する。ＣＰＵ１１２は、このＡＥ検出回路１３８から得られた積算値に基づき露出を決定する。また、ＡＦ検出回路１３６は、入力された画像信号からＡＦ制御に必要な焦点評価値を算出し、ＣＰＵ１１２に出力する。ＣＰＵ１１２は、このＡＦ検出回路１３６から得られた焦点評価値に基づきフォーカスレンズ１２２ｆの移動を制御し、撮影レンズ１２２の焦点を主要被写体に合わせる。
【００９３】
撮影者は、モニタ２６に表示されるスルー画像を見てピント状態等を確認する。また、必要に応じて撮影レンズ１２２をズームし、画角を調整する。
【００９４】
ここで、上記のように、撮影レンズ１２２のズーミングは、レンズバリア１６で行われる。すなわち、開位置に位置したレンズバリア１６を一方向（たとえば、右方向）に操作すると、テレ方向へのズームが指示され、他方向（たとえば、左方向）に操作すると、ワイド方向へのズームが指示される。
【００９５】
ＣＰＵ１１２は、レンズバリア１６の移動（開位置からの移動方向）を検出して、ズーム操作の有無を検出する。そして、ズーム操作があった場合（レンズバリア１６が開位置から右方向又は左方向へ移動された場合）は、その操作に応じてズームアクチュエータ１５４ｚの移動を制御し、撮影レンズ１２２のズーミングを行う。
【００９６】
撮影者は、主要被写体に焦点が合い、自分の意図する構図となったところでシャッタボタン１８を全押しし、本撮影の実行を指示する。
【００９７】
シャッタボタン１８が全押しされると、ＣＰＵ１１２にＳ２ＯＮ信号が入力される。ＣＰＵ１１２は、このＳ２ＯＮ信号に応動して、本撮影の処理を実行する。
【００９８】
まず、上記ＡＥで決定した露出でＣＣＤ１２４を露光させ、記録用の画像を撮像する。
【００９９】
ＣＣＤ１２４から出力された記録用の画像信号は、アナログ信号処理回路１２８で所要の信号処理を施されたのち、Ａ／Ｄ変換回路１３０でデジタル信号に変換されて、画像入力制御回路１３２からＲＡＭ１２０に取り込まれる。
【０１００】
ＲＡＭ１２０に取り込まれた画像データ（ＲＡＷデータ）は、デジタル信号処理回路１３４に加えられる。デジタル信号処理回路１３４は、入力された画像データに所定の現像処理を施して、輝度データＹと色差データＣｒ、Ｃｂとからなる画像データ（Ｙ／Ｃデータ）を生成する。
【０１０１】
生成された画像データは、ＲＡＭ１２０に一旦格納されたのち、圧縮伸張処理回路１４０に加えられる。圧縮伸張処理回路１４０は、入力された画像データに所要の圧縮処理を施して、圧縮画像データを生成する。
【０１０２】
生成された圧縮画像データは、ＲＡＭ１２０に格納される。ＣＰＵ１１２は、このＲＡＭ１２０に格納された圧縮画像データに所定の付属情報を付加して、所定フォーマット（本実施の形態では、Ｅｘｉｆ）の画像ファイルを生成する。
【０１０３】
生成された画像ファイルは、メディア制御回路１４２を介して所定の記録フォーマット（本実施の形態では、ＤＣＦ規格）で記憶メディア１５２に記録される。
【０１０４】
なお、上記の例では、撮影により得られた画像データを圧縮して記録する例で説明したが、圧縮せずに記録することもできる。また、ＲＡＷデータとして記録することもでき、この場合、Ａ／Ｄ変換後の画像データ（ＲＡＷデータ）が、そのまま記憶メディア１５２に記録される。撮影者は、撮影時に記録モードを選択することができる。
【０１０５】
このように、撮影モードに設定された場合、デジタルカメラ１０は、シャッタボタン１８の半押しで撮影準備を行い、全押しで本撮影を実行する。
【０１０６】
この際、レンズバリア１６を左右方向にスライド操作することにより、撮影レンズ１２２のズーミングが行われる。
【０１０７】
次に、再生時の動作について説明する。
【０１０８】
画像の再生は、カメラのモードを再生モードに設定することにより行われる。
【０１０９】
上記のように、電源ＯＦＦの状態において、カメラは、再生ボタン２４を押下すると、再生モードの状態で起動する。
【０１１０】
また、撮影モードの状態において、レンズバリア１６が開位置に位置している場合、カメラは、再生ボタン２４を押下すると、再生モードに切り換えられる。
【０１１１】
なお、再生モードの状態において、レンズバリア１６が開位置に位置している場合、カメラは、レンズバリア１６を閉位置にスライドさせると、電源がＯＦＦされる。
【０１１２】
また、再生モードの状態において、レンズバリア１６が閉位置に位置している場合、カメラは、再生ボタン２４を押下すると、電源がＯＦＦされる。
【０１１３】
カメラのモードが、再生モードに設定されると、ＣＰＵ１１２は、メディア制御回路１４２を介して記憶メディア１５２にアクセスし、記憶メディア１５２に最後に記録された画像ファイルの画像データを読み出す。読み出された画像データは、圧縮伸張処理回路１４０で所要の伸張処理が施されたのち、表示制御回路１４４を介してモニタ２６に出力される。
【０１１４】
なお、読み出された画像データが圧縮画像データではない場合は、そのまま表示制御回路１４４を介してモニタ２６に出力される。
【０１１５】
また、読み出された画像データがＲＡＷデータの場合は、所要の現像処理が施されたのち、表示制御回路１４４を介してモニタ２６に出力される。
【０１１６】
これにより、記憶メディア１５２に記録された画像が、モニタ２６に再生表示される。
【０１１７】
上記のように、画像のコマ送り／コマ戻しは、レンズバリア１６で行われ、閉位置又は開位置に位置したレンズバリア１６が一方向（たとえば、右方向）にスライドされると、次の画像が記憶メディア１５２から読み出されて、モニタ２６に再生表示される。また、閉位置又は開位置に位置したレンズバリア１６が他方向（たとえば、左方向）にスライドされると、一つ前の画像が記憶メディア１５２から読み出され、モニタ２６に再生表示される。
【０１１８】
以上説明したように、本実施の形態のデジタルカメラ１０は、レンズバリア１６が、操作手段として兼用される。これにより、カメラボディ１２に設置すべき操作部材の数を削減することができる。また、これにより、カメラボディ１２に設置すべきモニタ２６を可能な限り大画面で構成することができる。
【０１１９】
なお、レンズバリア１６は、このようにカメラの操作手段としても機能することから、カメラボディ１２を把持した際、常に指が掛かるように構成することが好ましい。これにより、操作性を向上させることができる。
【０１２０】
また、本実施の形態のデジタルカメラ１０では、一対のホールセンサでレンズバリア１６の開閉と、開位置及び閉位置での移動を検出しているので、少ないセンサ数で効率よく、レンズバリア１６の移動を検出することができる。この結果、装置構成も簡素化することができ、組み立て工数も削減することができる。
【０１２１】
なお、本実施の形態では、一対のホールセンサでレンズバリアの移動を検出する構成としているが、レンズバリアの移動を検出する構成は、これに限定されるものではない。この他、レンズバリアに加速度センサや角速度センサ等の移動量検出センサを設けて、レンズバリアの移動を検出するようにしてもよい。
【０１２２】
また、レンズバリアの開閉（開位置と閉位置との間の移動）と、レンズバリアの開位置、閉位置からの移動（レンズバリアの操作）を別々のセンサで検出する構成としてもよい。たとえば、レンズバリアの開閉（開位置と閉位置との間の移動）を上記一対のホールセンサで行い、レンズバリアの開位置、閉位置からの移動を別途設置したセンサ（加速度センサ等）で検出する構成としてもよい。
【０１２３】
また、本実施の形態では、レンズ部の開閉方向と、レンズバリアの操作方向とが同じ方向になるように構成されているが、レンズ部の開閉方向と、レンズバリアの操作方向とが異なる方向になるように構成してもよい。
【０１２４】
たとえば、図６に示すように、レンズ部の開閉は左右方向で行い、操作は、上下方向で行うようにしてもよい。なお、同図において、（ｂ）は、レンズバリア１６を閉位置から開位置に移動させた状態、（ａ）は、レンズバリア１６を上方に操作した状態、（ｃ）は、レンズバリア１６を下方に操作した状態を示している。レンズバリア１６は、横方向に開閉自在に設けられるとともに、開位置（及び／又は閉位置）において、開位置（及び／又は閉位置）を中立点として、上下方向に所定量（ｓ）移動可能に設けられている。また、同図に示す例では、レンズバリア１６に加速度センサ４０を設けて、上下方向の移動を検出する構成としている。
【０１２５】
この他、図７に示すように、レンズ部の開閉は上下方向で行い、操作は、左右方向で行うようにしてもよい。なお、同図において、（ｂ）は、レンズバリア１６を下方にスライドさせて、閉位置から開位置に移動させた状態、（ａ）は、レンズバリア１６を左方向に操作した状態、（ｃ）は、レンズバリア１６を右方向に操作した状態を示している。レンズバリア１６は、上下方向に開閉自在に設けられるとともに、開位置（及び／又は閉位置）において、開位置（及び／又は閉位置）を中立点として、左右方向に所定量（ｓ）移動可能に設けられている。また、同図に示す例では、レンズバリア１６に加速度センサ４０を設けて、左右方向の移動を検出する構成としている。
【０１２６】
さらに、図８に示すように、レンズ部の開閉は、斜め方向で行い、操作は、左右方向で行うようにしてもよい。なお、同図において、（ｂ）は、レンズバリア１６を左斜め下方にスライドさせて、閉位置から開位置に移動させた状態、（ａ）は、レンズバリア１６を左方向に操作した状態、（ｃ）は、レンズバリア１６を右方向に操作した状態を示している。レンズバリア１６は、斜め方向に開閉自在に設けられるとともに、開位置（及び／又は閉位置）において、開位置（及び／又は閉位置）を中立点として、左右方向に所定量（ｓ）移動可能に設けられている。また、同図に示す例では、レンズバリア１６に加速度センサ４０を設けて、左右方向の移動を検出する構成としている。
【０１２７】
なお、図８に示す例では、レンズバリア１６を開位置（及び／又は閉位置）において、開位置（及び／又は閉位置）を中立点として、左右方向に所定量移動可能に設けることにより、左右方向に操作可能に構成しているが、レンズバリア１６を開位置（及び／又は閉位置）において、開位置（及び／又は閉位置）を中立点として、上下方向に所定量移動可能に設けることにより、上下方向に操作可能に構成してもよい。
【０１２８】
また、上記一連の例では、レンズバリア１６は、開位置（及び／又は閉位置）を中立点として、左右又は上下の２方向に移動可能に設けているが、レンズバリア１６を開位置（及び／又は閉位置）を中立点として、上下左右の４方向に移動可能に設けることにより、上下左右の４方向に操作可能に構成してもよい。同様に、斜め方向にも移動可能に設けて、８方向に操作可能にしてもよい。
【０１２９】
＜第２の実施の形態＞
レンズバリアが操作手段として兼用される点は上述した第１の実施の形態のデジタルカメラと同じである。本実施の形態のデジタルカメラは、撮影モード時にレンズバリアがズームの操作手段として機能し、そのズームのスピードを多段階に調整可能に構成されている。すなわち、撮影モード時にレンズバリアを操作すると、それに応じてズームレンズが移動して、焦点距離が変化するが、そのレンズバリアの操作に基づくズームレンズの移動量が多段階に調整できるように構成されている。
【０１３０】
なお、デジタルカメラの基本構成は、上述した第１の実施の形態のデジタルカメラと同じであるので、ここでは、レンズバリア１６の操作に基づく、ズームレンズ１２２ｚの移動制御についてのみ説明する。
【０１３１】
上述したように、ズームレンズ１２２ｚは、光軸上を前後移動自在に設けられており、ズームアクチュエータ１５４ｚに駆動されて光軸上を前後移動する。撮影レンズ１２２は、このズームレンズ１２２ｚを前後移動させることにより、焦点距離が変化する。ＣＰＵ１１２は、ズーム制御回路１５６ｚを介してズームアクチュエータ１５４ｚの駆動を制御することにより、ズームレンズ１２２ｚの移動を制御して、撮影レンズ１２２の焦点距離を制御する。
【０１３２】
本実施の形態では、ズームアクチュエータ１５４ｚとして、ステッピングモータを使用し、パルス幅変調方式（PWM：Pulse Width Modulation）によるパルス制御でステッピングモータ（ズームアクチュエータ１５４ｚ）の駆動を制御する。すなわち、パルス幅を制御することにより、ステッピングモータの出力電圧設定値を切り換えて、ズームレンズ１２２ｚの移動量（スピード）を制御する。
【０１３３】
また、本実施の形態では、ズームスピードを低、中、高の３段階に調整可能に構成される。
【０１３４】
ここで、ズームスピードの選択は、メニュー画面で行われる。図９（ａ）に示すように、ＭＥＮＵ／ＯＫボタン２０を押下して、モニタ２６にメニュー画面を表示させると、メニュー項目の一つとして、「ズームスピードの選択」の項目が表示される。このズームスピードの選択の項目を選択すると、図９（ｂ）に示すように、モニタ２６にズームスピードの選択画面が表示され、ズームスピードの選択が可能になる。ここでは、高速で移動する「高速移動モード」と、中速で移動する「中速移動モード」と、低速で移動する「低速移動モード」とを選択することができるように構成されている。
【０１３５】
なお、このメニュー画面において、各項目の選択は、画面上に表示されるカーソルをレンズバリア１６で移動させて行う。選択した項目の確定は、ＭＥＮＵ／ＯＫボタン２０を押下することにより行う。また、処理の中止を行う場合は、キャンセルボタン２２を押下することにより行う。キャンセルボタン２２を押下すると、一つ前の状態に戻る。図９（ｂ）は、「高速移動モード」を選択したときの状態が示されている。
【０１３６】
上記のように、ズームスピードは、ズームアクチュエータ１５４ｚとしてのステッピングモータの駆動パルス幅を制御することにより行われる。図１０は、各移動モードでのＰＷＭ波形を示す図である。同図（ａ）は、低速移動モード時、（ｂ）は、中速移動モード時、（ｃ）は、高速移動モード時のＰＷＭ波形を示している。
【０１３７】
このように、ＣＰＵ１１２は、選択された移動モードに応じたＰＷＭ波形でズームアクチュエータ１５４ｚとしてのステッピングモータを駆動して、ズームレンズ１２２ｚの移動量（スピード）を制御する。
【０１３８】
なお、各移動モードに応じたズームアクチュエータ１５４ｚの駆動制御情報（ＰＷＭ波形の情報）は、ＲＯＭ１１６に格納されており、ＣＰＵ１１２は、この情報を参照して、ズームアクチュエータ１５４ｚの駆動を制御する。
【０１３９】
ＣＰＵ１１２は、レンズバリア１６が操作されると、その操作方向を検出し、検出された方向に対応する方向にズームレンズ１２２ｚが移動するように、ズームアクチュエータ１５４ｚの駆動を制御する。すなわち、レンズバリア１６が一方向（たとえば、右方向）に操作されると、テレ方向へのズームレンズ１２２ｚが移動するように、ズームアクチュエータ１５４ｚの駆動を制御し、他方向（たとえば、左方向）に操作されると、ワイド方向にズームレンズ１２２ｚが移動するように制御する。この際、設定された移動量でズームレンズ１２２ｚが移動するように、ズームアクチュエータ１５４ｚの駆動を制御する。
【０１４０】
なお、レンズバリア１６は、中立点（開位置）から左右方向に所定量ｅ以上移動されることにより、ズーム指令（ズームフラグ）がＯＮされる（０＜ｅ≦ｓ）。たとえば、右方向に所定量ｅ以上操作されれば、テレ方向へのズーム指令がＯＮされ、左方向に所定量ｅ以上操作されれば、ワイド方向へのズーム指令がＯＮされる。そして、このズーム指令がＯＮされている間、ズームアクチュエータ１５４ｚが駆動される。
【０１４１】
このように、レンズバリア１６の操作に基づくズームの移動量（スピード）を選択できることにより、撮影者の好みや撮影シチュエーションに応じた撮影が可能になり、使い勝手が向上する。
【０１４２】
なお、本実施の形態では、ズームの移動量を調整（選択）する場合について説明したが、同様の構成でカーソルの移動量（移動スピード）やコマ送りの切り換え速度（次のコマ又は前のコマに切り換わる速度）等を調整（選択）できるようにしてもよい。
【０１４３】
また、上記の例では、ズームの移動量は、３段階に切り替え可能としているが、切り替え段数はこれに限定されるものではない。この他、たとえば、マニュアルで設定できるようにしてもよい。
【０１４４】
また、本実施の形態では、ズームアクチュエータ１５４ｚとして、ステッピングモータを使用し、ＰＷＭによるパルス制御でズームレンズ１２２ｚの移動量を制御する構成としているが、ズームレンズ１２２ｚの移動量（スピード）を制御する方式は、これに限定されるものではない。この他、たとえば、設定された移動モードに応じて、ズームアクチュエータ１５４ｚへの入力電圧を切り換えて、ズームレンズ１２２ｚの移動量を制御するようにしてもよい。
【０１４５】
また、本実施の形態では、メニュー画面を利用して、移動モードの設定を行うようにしているが、移動モードの設定は、これに限定されるものではない。この他、たとえば、専用の切替スイッチをカメラボディに設け、当該切替スイッチで移動モードの切り替えを行うようにしてもよい。
【０１４６】
また、モニタ２６は、可能な限り大画面で構成することが好ましく、カメラボディ１２の背面のほぼ全体をモニタ２６の表示画面とすることが好ましいが、カメラボディ１２の背面に操作手段やスピーカ等を配置するようにしてもよい。
【図面の簡単な説明】
【０１４７】
【図１】本発明に係るデジタルカメラの一実施の形態を示す外観図
【図２】レンズバリアの開閉状態を示す図
【図３】レンズバリアの操作状態を示す図
【図４】レンズバリアの位置と第１、第２ホールセンサの出力の関係を示すグラフ
【図５】デジタルカメラのシステム構成を示すブロック図
【図６】レンズバリアの操作方向の他の例を示す図
【図７】レンズバリアの開閉方向の他の例を示す図
【図８】レンズバリアの開閉方向の他の例を示す図
【図９】ズームレンズの移動モードの設定方法の説明図
【図１０】各移動モードでのＰＷＭ波形を示す図
【符号の説明】
【０１４８】
１０…デジタルカメラ、１２…カメラボディ、１４…レンズ部、１６…レンズバリア、１８…シャッタボタン、２０…ＭＥＮＵ／ＯＫボタン、２２…キャンセルボタン、２４…再生ボタン、２６…モニタ、３０…マグネット、３２ａ、３２ｂ…ホールセンサ、４０…加速度センサ、１１２…ＣＰＵ、１１４…操作部、１１６…ＲＯＭ、１１８…フラッシュＲＯＭ、１２０…ＲＡＭ、１２２…撮影レンズ、１２２ｚ…ズームレンズ、１２２ｓ…手振れ補正レンズ、１２ｉ…絞り、１２２ｆ…フォーカスレンズ、１２４…ＣＣＤ、１２６…ＣＣＤ駆動回路、１２８…アナログ信号処理回路、１３０…Ａ／Ｄ変換回路、１３２…画像入力制御回路、１３４…デジタル信号処理回路、１３６…ＡＦ検出回路、１２３８…ＡＥ検出回路、１４０…圧縮伸張処理回路、１４２…メディア制御回路、１４４…表示制御回路、１５０…レンズバリア移動検出部、１５２…記憶メディア、１５４ｚ…ズームアクチュエータ、１５４ｓ…手振れ補正アクチュエータ、１５４ｆ…フォーカスアクチュエータ、１５４ｉ…絞りアクチュエータ、１５６ｚ…ズーム制御回路、１５６ｓ…手振れ補正制御回路、１５６ｆ…フォーカス制御回路、１５６ｉ…絞り制御回路、１６０…バス
【図１】
2010136268.tif 000003
【図２】
2010136268.tif 000004
【図３】
2010136268.tif 000005
【図４】
2010136268.tif 000006
【図５】
2010136268.tif 000007
【図６】
2010136268.tif 000008
【図７】
2010136268.tif 000009
【図８】
2010136268.tif 000010
【図９】
2010136268.tif 000011
【図１０】
2010136268.tif 000012